(57)【要約】【課題】利用者にとってわかりやすい形で立ち位置を誘導し、最適な立ち位置で撮影を行わせることができるようにする。【解決手段】本発明の撮影装置は、利用者を被写体として撮影する撮影手段と、撮影手段により撮影された画像に基づいてライブビューを表示する表示手段とを備える。また、撮影装置は、利用者の立ち位置を誘導するための誘導画像として、撮影手段と同じ撮影手段又は異なる撮影手段によって、撮影手段の高さとほぼ同じ高さから、利用者の特定の領域を撮影するときの撮影手段の光軸とほぼ同じ光軸で、人物が立ち位置を変える様子を撮影した画像を表示手段に表示させる。本発明は、撮影した画像をシール紙に印刷する写真シール作成装置に適用することができる。【選択図】図２１
2015035765.tif 000002
【特許請求の範囲】
【請求項１】
利用者を被写体として撮影する撮影手段と、
前記撮影手段により撮影された画像に基づいてライブビューを表示する表示手段と、
前記利用者の立ち位置を誘導するための誘導画像として、前記撮影手段と同じ撮影手段又は異なる撮影手段によって、前記撮影手段の高さとほぼ同じ高さから、前記利用者の特定の領域を撮影するときの前記撮影手段の光軸とほぼ同じ光軸で、人物が立ち位置を変える様子を撮影した画像を前記表示手段に表示させる誘導手段と
を備える撮影装置。
【請求項２】
前記誘導手段は、前記人物が立ち位置を変える様子を撮影して得られた動画、または前記人物が立ち位置を変える様子を複数回撮影して得られた複数の静止画を、前記誘導画像として表示させる
請求項１に記載の撮影装置。
【請求項３】
前記誘導画像は、モデルの人物が写る画像である
請求項１または２に記載の撮影装置。
【請求項４】
前記誘導手段は、前記利用者のほぼ全身が写る画像である全身画像の撮影前に、前記誘導画像を表示させる
請求項１乃至３のいずれかに記載の撮影装置。
【請求項５】
前記撮影手段による撮影コースには、前記利用者の上半身が中心として写る画像であるアップ画像および前記全身画像を取得するように画角を変えて撮影を行う第１の撮影コースと、画角を変えないで撮影を行う第２の撮影コースとがあり、
前記誘導手段は、前記第１の撮影コースによる撮影が前記撮影手段により行われる場合に前記誘導画像を表示させる
請求項４に記載の撮影装置。
【請求項６】
前記誘導手段は、前記人物の立ち位置の移動先となる前記誘導画像上の位置に、前記移動先を示す情報を合成して表示させる
請求項１乃至５のいずれかに記載の撮影装置。
【請求項７】
前記利用者の数を検出する検出手段と、
前記人物の数が異なる複数の前記誘導画像を記憶する記憶手段と
をさらに備え、
前記誘導手段は、前記記憶手段に記憶されている前記誘導画像のうち、前記検出手段により検出された前記利用者の数と同じ数の前記人物が写る前記誘導画像を表示させる
請求項１乃至６のいずれかに記載の撮影装置。
【請求項８】
前記人物の立ち位置の移動先は、前記誘導画像毎に異なる位置とされる
請求項７に記載の撮影装置。
【請求項９】
前記誘導手段は、前記誘導画像を、前記ライブビューと同じ大きさで表示させるか、前記ライブビューより大きく表示させる
請求項１乃至８のいずれかに記載の撮影装置。
【請求項１０】
前記利用者の視線を検出する視線検出手段をさらに備え、
前記誘導手段は、前記視線検出手段により検出された前記利用者の視線が前記表示部を向いているときに、前記誘導画像を表示させる
請求項１乃至９のいずれかに記載の撮影装置。
【請求項１１】
前記撮影手段と前記表示手段は近くに設けられる
請求項１乃至１０のいずれかに記載の撮影装置。
【請求項１２】
利用者を被写体として撮影手段によって撮影し、
撮影した画像に基づいてライブビューを表示手段に表示し、
前記利用者の立ち位置を誘導するための誘導画像として、前記撮影手段と同じ撮影手段又は異なる撮影手段によって、前記撮影手段の高さとほぼ同じ高さから、前記利用者の特定の領域を撮影するときの前記撮影手段の光軸とほぼ同じ光軸で、人物が立ち位置を変える様子を撮影した画像を前記表示手段に表示する
ステップを含む表示制御方法。
【発明の詳細な説明】
【技術分野】
【０００１】
本発明は、撮影装置および表示制御方法に関し、特に、利用者にとってわかりやすい形で立ち位置を誘導し、最適な立ち位置で撮影を行わせることができるようにした撮影装置および表示制御方法に関する。
【背景技術】
【０００２】
利用者を撮影し、撮影画像に対して利用者に編集（落書き）を行わせ、編集後の画像をシール紙に印刷して提供する写真シール機が知られている。このような写真シール機は娯楽（遊戯）施設等に設置される。
【０００３】
背景・前景等の合成用画像を撮影画像に綺麗に合成するためには、人物の配置等の構図は極めて重要になる。なお、撮影には、服装を記録するために全身を撮影する全身撮影と、利用者の顔を中心とした胸より上を撮影するアップ撮影とがある。全身撮影とアップ撮影は、１回のゲームにおいて組み合わせて行われることがある。
【０００４】
特許文献１には、利用者が撮影時のポーズなどを確認するためのライブビューに、利用者が体を収める目安となる表示を含む合成用画像を実際に合成して表示する技術が開示されている。ライブビューには、所定のポーズを取っている人の輪郭を表す点線の領域が表示され、利用者は、それに合わせて立ち位置を変えたり自分の体を動かしたりすることによって、背景画像と被写体のバランスがよい画像を撮影することができる。
【０００５】
特許文献２には、ライブビューの表示時、利用者と合成用画像を合成した画像を表示させた後に、合成用画像が合成されていないモデルが被写体として写るサンプル画像を表示することによって、利用者の立ち位置やポーズを誘導する技術が開示されている。
【先行技術文献】
【特許文献】
【０００６】
【特許文献１】特開２００５−２９５１６３号公報
【特許文献２】特開２０１０−１０２１９８号公報
【発明の概要】
【発明が解決しようとする課題】
【０００７】
特許文献１，２に記載の技術においては立ち位置やポーズを誘導するようになされているが、特に立ち位置については、適切な位置に誘導することができないことがあった。
【０００８】
つまり、利用者は、ライブビューに写る自分のポーズのみに注目し、点線やモデルのサンプル画像などで表示された立ち位置の誘導案内に気付かないことが多い。その結果、利用者が途切れて写っていたり、小さく写っていたりするといったように、それぞれの撮影（アップ撮影又は全身撮影）に応じた最適な構図の画像を撮影することができない。
【０００９】
また、複数回のアップ撮影の後に全身撮影を行うような場合、顔を小さく写したいという意識がアップ撮影時に働く事によって立ち位置を後方へ移動してしまい、アップ撮影時の立ち位置のまま全身撮影を行ってしまうと、全身が小さく写ってしまう。なお、全身撮影を複数回行う場合も、全身のバランスをよく表示したいという意識から、立ち位置を後方へ移動してしまうことがある。つまり、いずれの撮影においても、利用者が小さく写ってしまう撮影画像が多い。
【００１０】
本発明はこのような状況に鑑みてなされたものであり、利用者にとってわかりやすい形で立ち位置を誘導し、最適な立ち位置で撮影を行わせることができるようにするものである。
【課題を解決するための手段】
【００１１】
本発明の撮影装置は、利用者を被写体として撮影する撮影手段と、撮影手段により撮影された画像に基づいてライブビューを表示する表示手段と、利用者の立ち位置を誘導するための誘導画像として、撮影手段と同じ撮影手段又は異なる撮影手段によって、撮影手段の高さとほぼ同じ高さから、利用者の特定の領域を撮影するときの撮影手段の光軸とほぼ同じ光軸で、人物が立ち位置を変える様子を撮影した画像を表示手段に表示させる誘導手段とを備える。利用者の特定の領域には、利用者の上半身、顔などの一部の領域の他に、利用者の全身も含まれる。
【００１２】
誘導手段には、人物が立ち位置を変える様子を撮影して得られた動画、または人物が立ち位置を変える様子を複数回撮影して得られた複数の静止画を、誘導画像として表示させることができる。
【００１３】
誘導画像を、モデルの人物が写る画像とすることができる。
【００１４】
誘導手段には、利用者のほぼ全身が写る画像である全身画像の撮影前に、誘導画像を表示させることができる。
【００１５】
撮影手段による撮影コースには、利用者の上半身が中心として写る画像であるアップ画像および全身画像を取得するように画角を変えて撮影を行う第１の撮影コースと、画角を変えないで撮影を行う第２の撮影コースとがあり、誘導手段には、第１の撮影コースによる撮影が撮影手段により行われる場合に誘導画像を表示させることができる。
【００１６】
誘導手段には、人物の立ち位置の移動先となる誘導画像上の位置に、移動先を示す情報を合成して表示させることができる。
【００１７】
利用者の数を検出する検出手段と、人物の数が異なる複数の誘導画像を記憶する記憶手段とをさらに設けることができる。この場合、誘導手段には、記憶手段に記憶されている誘導画像のうち、検出手段により検出された利用者の数と同じ数の人物が写る誘導画像を表示させることができる。
【００１８】
人物の立ち位置の移動先を、誘導画像毎に異なる位置とすることができる。
【００１９】
誘導手段には、誘導画像を、ライブビューと同じ大きさで表示させるか、ライブビューより大きく表示させることができる。
【００２０】
利用者の視線を検出する視線検出手段をさらに設けることができる。この場合、誘導手段には、視線検出手段により検出された利用者の視線が表示部を向いているときに、誘導画像を表示させることができる。
【００２１】
撮影手段と表示手段を近くに設けることができる。
【００２２】
本発明の表示制御方法は、利用者を被写体として撮影手段によって撮影し、撮影した画像に基づいてライブビューを表示手段に表示し、利用者の立ち位置を誘導するための誘導画像として、撮影手段と同じ撮影手段又は異なる撮影手段によって、撮影手段の高さとほぼ同じ高さから、利用者の特定の領域を撮影するときの撮影手段の光軸とほぼ同じ光軸で、人物が立ち位置を変える様子を撮影した画像を表示手段に表示するステップを含む。
【００２３】
本発明においては、利用者を被写体として撮影手段によって撮影が行われ、撮影した画像に基づいてライブビューが表示手段に表示される。また、利用者の立ち位置を誘導するための誘導画像として、撮影手段と同じ撮影手段又は異なる撮影手段によって、撮影手段の高さとほぼ同じ高さから、利用者の特定の領域を撮影するときの撮影手段の光軸とほぼ同じ光軸で、人物が立ち位置を変える様子を撮影した画像が表示手段に表示される。
【発明の効果】
【００２４】
本発明によれば、利用者にとってわかりやすい形で立ち位置を誘導し、最適な立ち位置で撮影を行わせることができる。
【図面の簡単な説明】
【００２５】
【図１】写真シール作成装置の外観の構成例を示す斜視図である。
【図２】写真シール作成装置の外観の構成例を示す他の斜視図である。
【図３】利用者の移動について説明する図である。
【図４】撮影部の構成例を示す図である。
【図５】背景部の構成例を示す図である。
【図６】編集部の正面の構成例を示す図である。
【図７】編集部の側面の構成例を示す図である。
【図８】写真シール作成装置の外観の構成例を示すさらに他の斜視図である。
【図９】シール紙の例を示す図である。
【図１０】写真シール作成装置の内部の構成例を示すブロック図である。
【図１１】制御部の機能構成例を示すブロック図である。
【図１２】撮影処理部の構成例を示すブロック図である。
【図１３】写真シール作成ゲームについて説明するフローチャートである。
【図１４】編集画面の例を示す図である。
【図１５】図１３のステップＳ２において行われる撮影処理について説明するフローチャートである。
【図１６】通常撮影の例を示す図である。
【図１７】斜め撮影の例を示す図である。
【図１８】全身撮影の例を示す図である。
【図１９】ライブビューの表示例を示す図である。
【図２０】図１５のステップＳ３５において行われる動画ガイダンス処理について説明するフローチャートである。
【図２１】誘導画像の表示例を示す図である。
【図２２】誘導画像を構成する静止画の例を示す図である。
【図２３】誘導画像を構成する図２２に続く静止画の例を示す図である。
【図２４】誘導画像を構成する図２３に続く静止画の例を示す図である。
【図２５】誘導画像を構成する図２４に続く静止画の例を示す図である。
【図２６】誘導画像を構成する図２５に続く静止画の例を示す図である。
【図２７】誘導画像の撮影の様子を示す図である。
【図２８】誘導画像の撮影の様子を示す図である。
【図２９】撮影空間における全身撮影の様子を示す図である。
【図３０】撮影空間における全身撮影の様子を示す図である。
【図３１】誘導部の構成例を示すブロック図である。
【発明を実施するための形態】
【００２６】
［写真シール作成装置の外観構成］
図１は、写真シール作成装置１の外観の構成例を示す斜視図である。
【００２７】
写真シール作成装置１は撮影画像や編集画像を提供するゲーム機である。画像の提供は、シール紙に印刷した形で行われることもあるし、サーバに送信した画像を利用者の携帯端末上で閲覧可能にする形で行われることもある。写真シール作成装置１はゲームセンタなどの店舗に設置される。利用者は１人であることもあるが、主に、２人や３人等の複数人である。ここでは、利用者が２人である場合について説明する。
【００２８】
写真シール作成装置１で遊ぶ利用者は、自身が被写体となって撮影を行い、撮影によって得られた撮影画像を手書きの文字やスタンプ画像を合成して編集することにより、撮影画像を彩り豊かな画像にする。利用者は、撮影画像や編集済みの画像である編集画像が印刷されたシール紙を受け取って一連のゲームを終了させる。
【００２９】
図１に示すように、写真シール作成装置１は、基本的に、撮影ユニット１１と編集ユニット１２が接した状態で設置されることによって構成される。
【００３０】
撮影ユニット１１は、撮影部２１と背景部２２から構成される。撮影部２１と背景部２２は離して設置され、撮影部２１と背景部２２の間に形成される空間が、利用者が撮影を行う撮影空間となる。
【００３１】
撮影部２１は、利用者を被写体とした撮影処理を行う装置である。撮影部２１は、撮影空間に入った利用者の正面に位置する。撮影空間に臨む撮影部２１の正面には、カメラや各種の操作に用いられるタッチパネルモニタなどが設けられる。撮影空間にいる利用者から見て右側の面を右側面、左側の面を左側面とすると、撮影部２１の右側面が側面パネル４１Ａにより構成され、左側面が側面パネル４１Ｂ（図３）により構成される。
【００３２】
背景部２２は、正面を向いて撮影を行っている利用者の背面側に位置する板状の部材である背面パネル５１、背面パネル５１の右端に取り付けられ、側面パネル４１Ａより横幅の狭い板状の部材である側面パネル５２Ａ、および、背面パネル５１の左端に取り付けられ、側面パネル４１Ｂより横幅の狭い板状の部材である側面パネル５２Ｂ（図３）から構成される。
【００３３】
撮影部２１の右側面を構成する側面パネル４１Ａと背景部２２の側面パネル５２Ａは、ほぼ同一平面に設けられる。側面パネル４１Ａと側面パネル５２Ａは、上部が板状の部材である連結部２３Ａによって連結され、下部が、床面に設けた例えば金属製の部材である連結部２３Ａ’によって連結される。撮影部２１の左側面を構成する側面パネル４１Ｂと背景部２２の側面パネル５２Ｂも同様に、ほぼ同一平面に設けられ、上部において連結部２３Ｂによって連結され、下部において連結部２３Ｂ’（図８）によって連結される。
【００３４】
撮影部２１の側面パネル４１Ａ、連結部２３Ａ、および背景部２２の側面パネル５２Ａに囲まれることによって形成される開口が撮影空間の出入り口となる。また、撮影部２１の側面パネル４１Ｂ、連結部２３Ｂ、および背景部２２の側面パネル５２Ｂに囲まれることによって形成される開口も撮影空間の出入り口となる。
【００３５】
背景部２２の上部には、背面パネル５１、側面パネル５２Ａ、および側面パネル５２Ｂに支持される形でクロマキーカーテンユニット２５が設けられる。クロマキーカーテンユニット２５には、利用者の背景に写る所定の色のクロマキーカーテンが収納される。クロマキーカーテンユニット２５は、撮影と連動して、適宜、撮影空間内にクロマキーカーテンを下ろす。クロマキーカーテンユニット２５によるクロマキーカーテンの上げ下げは、例えば撮影コースに応じて行われる。
【００３６】
撮影空間の上方には、撮影部２１の正面、連結部２３Ａ、連結部２３Ｂ、およびクロマキーカーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて光を照射するストロボを内蔵する。天井ストロボユニット２４の内部には、ストロボの他に蛍光灯が設けられており、撮影空間の照明としても機能する。
【００３７】
編集ユニット１２は、撮影画像の編集処理を行う装置である。編集ユニット１２は、一方の側面が撮影部２１の背面に接するように撮影ユニット１１に連結して設けられる。
【００３８】
図１に一部が見える編集ユニット１２の構成を正面側の構成とすると、２組の利用者が同時に編集を行うことができるように、編集ユニット１２の正面側と背面側には編集に用いられる構成がそれぞれ設けられる。
【００３９】
編集ユニット１２の正面側は、床面に対して垂直な面であり、撮影部２１の側面パネル４１Ａとほぼ平行な面である面７１と、面７１の上方に形成された斜面７２から構成される。斜面７２には、編集作業に用いられる構成が設けられる。斜面７２の右側には、照明装置７４の一端を支持する柱状の支持部７３Ａが設けられる。斜面７２の左側にも、照明装置７４の他端を支持する柱状の支持部７３Ｂ（図２）が設けられる。支持部７３Ａの右側には、編集ユニット１２の側面を構成する板状のパネル７３Ｃが設けられる。パネル７３Ｃの上面にはカーテンレール２６を支持する支持部７５が設けられる。
【００４０】
編集ユニット１２の上方にはカーテンレール２６が取り付けられる。カーテンレール２６は、３本のレール２６Ａ乃至２６Ｃを、上から見たときの形状がコの字状となるように組み合わせることによって構成される。平行に設けられるレール２６Ａと２６Ｂの一端は、連結部２３Ａと連結部２３Ｂにそれぞれ固定され、他端にレール２６Ｃの両端が接合される。
【００４１】
カーテンレール２６には、編集ユニット１２の正面前方の空間と背面前方の空間の内部が外から見えないようにカーテンが取り付けられる。カーテンレール２６に取り付けられたカーテンにより囲まれる編集ユニット１２の正面前方の空間と背面前方の空間が、利用者が撮影画像の編集を行う編集空間となる。
【００４２】
図２は、写真シール作成装置１の他の斜視図である。
【００４３】
後に詳述するが、編集ユニット１２の右側面には、タブレット内蔵モニタや印刷済みのシール紙が排出される排出口などが設けられる。編集ユニット１２の側面に設けられるタブレット内蔵モニタは、画像の印刷が終わるのを待っている利用者が事後接客機能を利用するときに用いられる。事後接客機能には、撮影画像や編集画像をサーバに送信する機能、ミニゲームの機能などが含まれる。編集ユニット１２の右側面前方の空間が、利用者が事後接客機能を利用する事後接客空間となる。
【００４４】
ここで、写真シール作成ゲームの流れと、それに伴う利用者の移動について説明する。図３は、写真シール作成装置１を上から見た平面図である。
【００４５】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影を行う。
【００４６】
撮影を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４７】
編集空間Ａ２−１は、編集ユニット１２の正面側の編集空間であり、編集空間Ａ２−２は、編集ユニット１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方が移動先として案内される。編集空間Ａ２−１または編集空間Ａ２−２に移動した利用者は撮影画像の編集を開始する。編集空間Ａ２−１の利用者と、編集空間Ａ２−２の利用者は同時に編集を行うことができる。
【００４８】
編集が終了した後、撮影画像や編集画像の印刷が開始される。画像の印刷中、編集空間Ａ２−１での編集を終えた利用者は、白抜き矢印＃５で示すように編集空間Ａ２−１から事後接客空間Ａ３に移動して事後接客機能を利用する。また、編集空間Ａ２−２での編集を終えた利用者は、白抜き矢印＃６で示すように編集空間Ａ２−２から事後接客空間Ａ３に移動して事後接客機能を利用する。
【００４９】
画像の印刷が終了したとき、利用者は、シール紙排出口からシール紙を受け取り、一連の写真シール作成ゲームを終えることになる。
【００５０】
次に、各装置の構成について説明する。
【００５１】
［撮影部の構成］
図４は、撮影部２１の正面の構成例を示す図である。撮影部２１は、側面パネル４１Ａ、側面パネル４１Ｂ、および正面パネル４２が、箱状の形状を有するベース部４３に取り付けられることによって構成される。
【００５２】
正面パネル４２の中央には、上底：下底の比を略１：５とし、下底の長さが正面パネル４２の横幅と同じ長さの等脚台形を上下逆さまにした面を有する凸部８１が形成される。凸部８１のほぼ中央にはカメラユニット９１が設けられ、カメラユニット９１の下にタッチパネルモニタ９２が設けられる。カメラユニット９１は、カメラ１０１と正面ストロボ１０２から構成される。
【００５３】
カメラ１０１は、例えば一眼レフカメラであり、レンズが露出するようにカメラユニット９１の内部に取り付けられる。カメラ１０１はCCD(Charge Coupled Device)などの撮像素子を有し、撮影空間Ａ１にいる利用者を撮影する。カメラ１０１により取り込まれた動画像は、ライブビューとして、タッチパネルモニタ９２にリアルタイムで表示される。利用者により撮影が指示されたときなどの所定のタイミングでカメラ１０１により取り込まれた静止画は撮影画像として保存される。
【００５４】
カメラ１０１の上に設けられた正面ストロボ１０２は、乳白アクリル板などよりなる横長長方形の発光面を有する。正面ストロボ１０２は、カメラ１０１による撮影に合わせて発光することで、被写体としての利用者の顔付近を正面から照射する。
【００５５】
カメラユニット９１の下に設けられたタッチパネルモニタ９２は、LCD(Liquid Crystal Display)などのモニタと、それに積層されたタッチパネルにより構成される。タッチパネルモニタ９２は、カメラ１０１により取り込まれた動画像を表示するライブビューモニタとしての機能と、各種のGUI(Graphical User Interface)を表示し、利用者の選択操作を受け付ける機能を備えている。タッチパネルモニタ９２には、カメラ１０１により取り込まれた動画像（ライブビュー）や撮影画像が表示される。
【００５６】
カメラユニット９１の上方には、曲面の発光面を利用者に向けた上ストロボ１１１が設置される。上ストロボ１１１は、カメラ１０１による撮影に合わせて発光することで、上方から利用者を照射する。
【００５７】
ベース部４３の中央には利用者の足元を照射する足元ストロボ１１２が設けられ、足元ストロボ１１２の垂直面の右側には、利用者が硬貨を入れる硬貨投入返却口１１４が設けられる。
【００５８】
ベース部４３の上面には、足元ストロボ１１２の上面を挟んでスペース１１３Ａおよび１１３Ｂが左右に形成される。スペース１１３Ａおよび１１３Ｂは、撮影を行う利用者が手荷物等を置くための荷物置き場として用いられる。正面パネル４２の例えば天井付近には、撮影処理の案内音声、BGM(Back Ground Music)、効果音等の音を出力するスピーカも設けられる。
【００５９】
［背景部の構成］
図５は、背景部２２の撮影空間Ａ１側の構成例を示す図である。
【００６０】
背面パネル５１の上方にはクロマキーカーテンユニット２５が設けられる。背面パネル５１の出入り口Ｇ１側の上方には、撮影空間Ａ１内で撮影を行っている利用者を右後方から照射する背面右ストロボ１２１が取り付けられる。また、背面パネル５１の出入り口Ｇ２側の上方には、撮影空間Ａ１内で撮影を行っている利用者を左後方から照射する背面左ストロボ１２２が取り付けられる。
【００６１】
［編集部の構成］
図６は、編集ユニット１２の正面側（編集空間Ａ２−１側）の構成例を示す図である。
【００６２】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００６３】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には例えば編集画面が表示される。編集画面は撮影画像の編集に用いられる画面である。２人で同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００６４】
図７、図８は、編集ユニット１２の右側面の構成例を示す図である。
【００６５】
編集ユニット１２の側面にはタブレット内蔵モニタ１６１が設けられる。タブレット内蔵モニタ１６１には、事後接客機能を利用するときに用いられる画面が表示される。
【００６６】
タブレット内蔵モニタ１６１の下にはシール紙排出口１６２が設けられる。編集ユニット１２の内部にはプリンタが設けられており、編集空間Ａ２−１の利用者が写る画像、または、編集空間Ａ２−２の利用者が写る画像が所定のレイアウトでシール紙に印刷され、シール紙排出口１６２から排出される。シール紙排出口１６２の下には、事後接客機能の案内音声、BGM、効果音等などを出力するスピーカ１６３が設けられる。
【００６７】
［シール紙の例］
図９は、以上のような外観構成を有する写真シール作成装置１により提供されるシール紙の例を示す図である。
【００６８】
後に詳述するように、写真シール作成装置１が提供する撮影コースには、例えばbeautyコースとedgyコースとの２種類のコースがある。撮影の開始前、利用者は、いずれの撮影コースを利用するのかを選択する。
【００６９】
図９Ａは、beautyコースを選択した場合に提供されるシール紙の例を示す図である。
【００７０】
図９Ａに示すように、シール紙には、横方向の長さに対して縦方向の長さが若干長い角丸長方形の画像が上段の右側に寄せて２枚、下段に３枚並べて印刷される。それぞれの画像には、利用者である２人の人物がポーズを変えて写っている。beautyコースを選択した場合、利用者の略胸より上の上半身を撮影範囲とした撮影が５回行われ、撮影画像、または撮影画像に編集を施して得られた編集画像が印刷される。
【００７１】
下段中央の画像に付されている「ラッキー」の文字は編集によって入力された手書き文字であり、右下の画像に付されているハート型の画像は編集によって入力されたスタンプ画像である。このように、５枚の撮影画像のうち、編集が行われたものについては編集画像が印刷され、編集が行われなかったものについては撮影画像がそのまま印刷される。下段中央の画像と右下の画像は編集画像であり、その他の画像は撮影画像である。
【００７２】
シール紙の左上には、写真シール作成装置１の機種名である「SPiCA」の文字や撮影日時などの文字情報が、利用者が写る撮影画像に重ねて印刷されている。文字情報が重ねて印刷される左上の撮影画像は、右下に印刷されている編集画像の元になった撮影画像に対して、グレースケール表示にするなどの加工を施して得られた画像である。
【００７３】
図９Ａにおいて、左上の画像に色を付して示していることは、左上の画像がグレースケールで薄く印刷されていることを表す。利用者は、自身の画像が背景として薄く現れる文字情報を見ることになる。なお、左上の画像以外の５枚の画像はカラー印刷された画像である。
【００７４】
以下、適宜、撮影画像に加工を施して得られる、シール紙の左上などに印刷される画像を加工画像という。加工画像は余白領域に印刷される画像であり、撮影画像又は編集画像のすべての画素に対して、撮影画像又は編集画像とは画像の見え方が異なるような加工を施して得られる画像である。
【００７５】
図９Ｂは、edgyコースを選択した場合に提供されるシール紙の例を示す図である。
【００７６】
図９Ｂに示すように、edgyコースを選択した場合、利用者の上半身を撮影範囲とした撮影が３回行われ、全身を撮影範囲とした撮影が２回行われる。全身を撮影範囲とした撮影によって得られた撮影画像、またはその撮影画像に編集を施して得られた編集画像は右端に縦に並べて印刷される。右下の画像に付されている「LOVE」の文字は編集によって入力された手書き文字である。
【００７７】
左上の余白領域には、機種名などの文字情報が、下段中央に印刷される撮影画像に加工を施して得られた加工画像に重ねて印刷される。
【００７８】
このように、写真シール作成装置１においては、シール紙に５枚の撮影画像または編集画像が印刷され、その余白に、１枚の撮影画像に加工を施して得られた画像が文字情報の背景として印刷される。
【００７９】
余白領域に文字情報だけを印刷するのではなく、文字情報の背景として利用者自身が写る画像がカラーの撮影画像や編集画像とほぼ同じ大きさで印刷されることから、文字情報の視認性を確保したまま、全体的に無駄なスペースのない印象のあるシール紙を提供することが可能になる。
【００８０】
また、撮影画像や、編集画像の元になった撮影画像を用いて加工画像が生成されることから、加工画像の生成に用いる画像、すなわち余白に印刷するためだけの画像を撮影する必要がない。これにより、余白に印刷するためだけの画像を、カラー印刷する画像とは別に撮影する場合に較べて、撮影にかかる時間を抑えることができ、写真シール作成装置１の利用者の回転数を落とさずに済む。
【００８１】
さらに、利用者自身が写る画像が余白に印刷されることから、モデルの画像などを印刷する場合と較べて、カラー印刷される画像と並べても違和感のない、デザイン性の高いシール紙を提供することができ、利用者の満足感を高めることが可能となる。
【００８２】
シール紙の余白は、機種名、撮影日時などが印刷される領域であり、従来、それらの情報が確認された後に切断して廃棄される領域であったが、利用者自身が写る画像を印刷することによって、切断して廃棄されるのを防ぐことが可能になる。利用者にとっては、文字情報を記載した余白領域も含めて、価値のある１枚のシール紙となる。
【００８３】
このような画像をシール紙に印刷する写真シール作成装置１の処理については後述する。なお、シール紙排出口１６２から排出されるシール紙には、図９Ａまたは図９Ｂに示すレイアウトの画像全体を１枚分として、２枚分の画像が印刷される。２人の利用者は、排出されたシール紙を上下に半分に切るなどしてそれぞれ分けることになる。
【００８４】
［写真シール作成装置の内部構成］
図１０は、写真シール作成装置１の内部の構成例を示すブロック図である。上述した構成と同じ構成には同じ符号を付してある。重複する説明については適宜省略する。
【００８５】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９Ａ、編集部２０９Ｂ、および事後接客部２１０の各構成も接続される。
【００８６】
記憶部２０２は、ハードディスクやフラッシュメモリなどの不揮発性の記憶媒体からなり、制御部２０１から供給された各種の設定情報等を記憶する。記憶部２０２に記憶されている情報は制御部２０１により適宜読み出される。
【００８７】
通信部２０３は、インターネットなどのネットワークのインタフェースであり、制御部２０１による制御に従って外部の装置と通信を行う。通信部２０３は、例えば撮影画像や編集画像をサーバに送信する。通信部２０３から送信された画像は、サーバにおいて所定のURLの記憶領域が割り当てられて保存され、アクセスしてきた携帯端末のディスプレイに表示される。
【００８８】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００８９】
ROM２０６には、制御部２０１において実行されるプログラムやデータが記憶されている。RAM２０７は、制御部２０１が処理するデータやプログラムを一時的に記憶する。
【００９０】
撮影部２０８は、撮影空間Ａ１にいる利用者を対象とした撮影処理を行う。撮影部２０８は、硬貨処理部２２１、背景制御部２２２、照明装置２２３、カメラ１０１、タッチパネルモニタ９２、およびスピーカ２２４から構成される。
【００９１】
硬貨処理部２２１は、硬貨投入返却口１１４に対する硬貨の投入を検出する。硬貨処理部２２１は、例えば４００円などの所定の金額分の硬貨が投入されたことを検出した場合、そのことを表す起動信号を制御部２０１に出力する。
【００９２】
背景制御部２２２は、制御部２０１から供給される背景制御信号に従ってクロマキーカーテンユニット２５を制御し、クロマキーカーテンの上げ下げを行う。
【００９３】
照明装置２２３は、制御部２０１から供給される照明制御信号に従って、撮影空間Ａ１内の各ストロボの発光を制御する。撮影空間Ａ１には、天井ストロボユニット２４のストロボの他に、撮影部２１の正面ストロボ１０２、上ストロボ１１１、足元ストロボ１１２、背景部２２の背面右ストロボ１２１、背面左ストロボ１２２が設けられる。
【００９４】
カメラ１０１は、制御部２０１による制御に従って撮影を行い、撮影によって得られた画像を制御部２０１に出力する。
【００９５】
編集部２０９Ａは、編集空間Ａ２−１にいる利用者を対象とした編集処理を行う。編集部２０９Ａは、タブレット内蔵モニタ１３１、タッチペン１３２Ａ，１３２Ｂ、およびスピーカ２３１から構成される。編集部２０９Ｂは、編集部２０９Ａと同一の構成を有しており、編集空間Ａ２−２にいる利用者を対象とした編集処理を行う。
【００９６】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００９７】
事後接客部２１０は、事後接客空間Ａ３にいる利用者を対象とした事後接客処理を行う。事後接客処理は、事後接客機能を利用者に提供する処理である。事後接客部２１０は、タブレット内蔵モニタ１６１、スピーカ１６３、およびプリンタ２４１から構成される。プリンタ２４１にはシール紙ユニット２４２が装着される。
【００９８】
プリンタ２４１は、制御部２０１から供給された印刷データに基づいて、撮影画像や編集画像をシール紙ユニット２４２に収納されているシール紙に印刷し、シール紙排出口１６２に排出する。制御部２０１からプリンタ２４１に対しては、図９Ａ、図９Ｂに示すように各画像が配置されたイメージデータが印刷データとして供給される。
【００９９】
［制御部の構成］
図１１は、制御部２０１の機能構成例を示すブロック図である。図１１に示す機能部のうちの少なくとも一部は、制御部２０１内のCPUにより所定のプログラムが実行されることによって実現される。
【０１００】
制御部２０１においては、撮影処理部３０１、編集処理部３０２、印刷処理部３０３、および事後接客処理部３０４が実現される。
【０１０１】
撮影処理部３０１は、撮影部２０８の各部を制御し、写真シール作成装置１を利用する際に投入される代金に関する処理や撮影処理を行う。編集処理部３０２は、編集部２０９Ａ、編集部２０９Ｂの各部を制御し、編集処理を行う。印刷処理部３０３は、事後接客部２１０のプリンタ２４１を制御し、印刷処理を行う。事後接客処理部３０４は、事後接客部２１０のタブレット内蔵モニタ１６１を制御するなどして事後接客処理を行う。
【０１０２】
図１２は、撮影処理部３０１の構成例を示すブロック図である。
【０１０３】
撮影処理部３０１は、撮影制御部３１１、トリミング処理部３１２、表示制御部３１３、調整部３１４、撮影画像記憶部３１５、および誘導画像記憶部３１６から構成される。表示制御部３１３においては誘導部３１３Ａが実現される。
【０１０４】
撮影制御部３１１は、撮影処理の開始時、カメラ１０１を制御して動画を撮影する。撮影制御部３１１により撮影された動画はライブビューの表示に用いられる。また、撮影制御部３１１は、ライブビューが表示された後、所定のタイミングで静止画を撮影する。例えば１回のゲームでは静止画の撮影が５回行われる。撮影制御部３１１により撮影された画像はトリミング処理部３１２に供給される。
【０１０５】
トリミング処理部３１２は、撮影制御部３１１から供給された動画を構成する各フレームを対象としてトリミングを行い、トリミングにより切り出した範囲の画像からなる動画を表示制御部３１３に供給する。また、トリミング処理部３１２は、撮影制御部３１１から供給された静止画を対象としてトリミングを行い、トリミングにより切り出した範囲の静止画を表示制御部３１３と調整部３１４に供給する。
【０１０６】
表示制御部３１３は、タッチパネルモニタ９２の表示を制御する。例えば、表示制御部３１３は、撮影の仕方を説明するガイダンス画面を表示させたり、トリミング処理部３１２から供給された動画に基づいてライブビューを表示させたりする。
【０１０７】
表示制御部３１３の誘導部３１３Ａは、撮影コースがedgyコースである場合、全身撮影の開始前に、立ち位置を最適な位置に誘導するための動画である誘導画像をタッチパネルモニタ９２に表示させる。カメラ１０１の撮影範囲に全身を収めようとすると、無意識のうちに利用者がカメラ１０１から離れすぎてしまうことがある。誘導画像は、カメラ１０１から離れすぎないようにするために、立ち位置をカメラ１０１に近い位置に誘導するものである。誘導画像の具体例については後述する。
【０１０８】
調整部３１４は、トリミング処理部３１２から供給された静止画を対象として画像処理を施し、写りの調整を行う。調整部３１４が調整する写りには、静止画に写る利用者の目の大きさ、顔の大きさ、画像の明るさなどが含まれる。調整部３１４は、写りの調整後の静止画を撮影画像として撮影画像記憶部３１５に出力し、記憶させる。
【０１０９】
撮影画像記憶部３１５は、調整部３１４から供給された撮影画像を記憶する。撮影画像記憶部３１５に記憶された５枚の撮影画像は編集処理時に読み出される。
【０１１０】
誘導画像記憶部３１６は、誘導画像のデータを記憶する。誘導画像記憶部３１６に記憶されたデータは誘導部３１３Ａにより読み出される。
【０１１１】
［写真シール作成装置の動作］
次に、写真シール作成装置１の動作について説明する。
【０１１２】
はじめに、図１３のフローチャートを参照して、写真シール作成ゲームを提供する写真シール作成装置１の処理について説明する。
【０１１３】
ステップＳ１において、写真シール作成装置１の撮影処理部３０１は、所定の金額分の硬貨が投入されたか否かを硬貨処理部２２１から供給される信号に基づいて判定し、投入されたと判定するまで待機する。
【０１１４】
硬貨が投入されたとステップＳ１において判定した場合、ステップＳ２において、撮影処理部３０１は撮影処理を行う。撮影処理においては、撮影空間Ａ１にいる利用者を被写体として撮影が行われる。撮影処理の詳細については、図１５のフローチャートを参照して後述する。
【０１１５】
ステップＳ３において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、タッチパネルモニタ９２に画面を表示させることによって、または音声をスピーカ２２４から出力させることによって行われる。
【０１１６】
ステップＳ４において、編集処理部３０２は、編集空間Ａ２−１と編集空間Ａ２−２のうち、撮影を終えた利用者の移動先とした方の編集空間に対応する編集部２０９Ａまたは編集部２０９Ｂを制御して、撮影画像の編集を行う。
【０１１７】
すなわち、編集処理部３０２は、タブレット内蔵モニタ１３１に編集画面を表示させ、タッチペン１３２Ａ，１３２Ｂを用いて行われる利用者の操作に応じて、編集対象として選択された撮影画像を編集する。また、編集処理部３０２は、１枚の撮影画像に対して加工を施し、加工画像を生成する。
【０１１８】
ステップＳ５において、編集処理部３０２は、編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１１９】
ステップＳ６において、印刷処理部３０３は、利用者により選択されたレイアウトに従って、撮影画像や編集画像をシール紙に印刷する。レイアウトの選択は、例えば編集終了後、タブレット内蔵モニタ１３１に表示される画面を用いて行われる。レイアウトが選択された場合、撮影画像、編集画像、および加工画像に基づいて、編集処理部３０２により印刷データが生成され、シール紙に印刷される。
【０１２０】
ステップＳ７において、事後接客処理部３０４は、印刷が終わるのを待っている利用者に対する事後接客処理を行う。事後接客処理部３０４は、撮影画像や編集画像を携帯端末に送信する処理などを事後接客処理として行う。
【０１２１】
印刷が終了した場合、ステップＳ８において、事後接客処理部３０４は、画像が印刷されたシール紙をシール紙排出口１６２に排出させ、処理を終了する。
【０１２２】
図１４は、撮影画像の編集時にタブレット内蔵モニタ１３１に表示される編集画面の例を示す図である。
【０１２３】
編集画面は、主な構成が左右対象に設けられることによって構成される。左半分の領域である領域３３２Ｌは、タブレット内蔵モニタ１３１に向かって左側にいる利用者により用いられる領域であり、右半分の領域である領域３３２Ｒは、タブレット内蔵モニタ１３１に向かって右側にいる利用者により用いられる領域である。中央上方の領域３３１には編集処理の残り時間が表示される。なお、図１４の各領域を囲む破線は画面に実際に表示されるものではない。
【０１２４】
領域３３２Ｌの中央上方のサムネイル画像表示領域３４１Ｌは、撮影画像を表すサムネイル画像の表示領域である。利用者（タブレット内蔵モニタ１３１に向かって左側にいる利用者）は、サムネイル画像表示領域３４１Ｌに表示されているサムネイル画像を選択することによって、編集対象とする撮影画像を選択することができる。
【０１２５】
図１４の例においては、５枚の撮影画像を表すサムネイル画像Ｐ１乃至Ｐ５が撮影順に並べて表示され、左端のサムネイル画像Ｐ１が選択されることによって、１枚目の撮影画像が編集対象とされている。
【０１２６】
サムネイル画像表示領域３４１Ｌに表示されている５枚のサムネイル画像のうち、サムネイル画像Ｐ１乃至Ｐ３は利用者の上半身が写っているサムネイル画像であり、サムネイル画像Ｐ４，Ｐ５は利用者の全身が写っているサムネイル画像である。図１４の編集画面は、edgyコースによって撮影が行われた後の編集処理時に表示される画面である。図９を参照して説明したように、edgyコースにおいては、上半身の画像だけでなく、全身の画像も撮影される。
【０１２７】
サムネイル画像表示領域３４１Ｌに表示されるサムネイル画像Ｐ１乃至Ｐ５は、編集対象の撮影画像を縮小した画像であり、角丸の画像になっている。beautyコースでの撮影が行われた後に表示される編集画面のサムネイル画像表示領域３４１Ｌには、角丸処理が施されるとともに、背景画像の合成処理が施された撮影画像を表すサムネイル画像が表示される。
【０１２８】
領域３３２Ｌの略中央に形成された比較的大きな編集領域３４２Ｌは、編集対象として選択された撮影画像の表示領域である。図１４の例においては１枚目の撮影画像が表示されている。利用者は、タッチペン１３２Ａを用いて編集ツールを選択し、編集領域３４２Ｌに表示された撮影画像の編集を行うことができる。編集領域３４２Ｌに表示される撮影画像も角丸処理などが施された画像である。
【０１２９】
編集領域３４２Ｌの左側のペンツール選択領域３４３Ｌは、手書き入力に用いられるペンツールの選択ボタンの表示領域である。ペンツール選択領域３４３Ｌには、線の種類、太さ、色の選択に用いられるボタンが複数表示される。ペンツール選択領域３４３Ｌの各ボタンは、編集画面が表示されている間、常時表示される。
【０１３０】
編集領域３４２Ｌの下の編集用パレット表示領域３４４Ｌは、スタンプ画像などの各種の編集ツールの選択に用いられる編集用パレットの表示領域である。編集用パレットに表示される編集ツールは「PROF-select」、「ROUGH-design」、「HIGH-design」のカテゴリ毎に分かれており、それぞれのカテゴリ名が付されたタブを選択することによって、編集用パレット表示領域３４４Ｌに表示させる編集ツールを切り替えることができるようになされている。
【０１３１】
図１４の例においては、「PROF-select」のカテゴリが選択され、「PROF-select」のカテゴリに属する編集ツールの選択ボタンが表示されている。「PROF-select」のカテゴリに属する編集ツールが、編集の開始時に入力されたプロフィールに応じて切り替わるようにしてもよい。
【０１３２】
編集領域３４２Ｌの右側の修正ツール選択領域３４５Ｌは、入力した編集を消すときに用いられるツールである消しゴムツールの選択に用いられるボタン、１つ前または１つ後の作業に戻るときに操作されるボタンなどが縦に並べて表示される領域である。
【０１３３】
修正ツール選択領域３４５Ｌの右側の一括編集ボタン３４６Ｌは、予め決められた編集を一括して入力するときに操作されるボタンである。一括編集ボタン３４６Ｌの下には、領域３３２Ｒに跨る形で、編集時のBGMの設定を行うときに操作されるボタンの表示領域であるBGM設定領域３４７が形成される。
【０１３４】
編集用パレット表示領域３４４Ｌの右側には、メイクアップツールを利用するときに操作されるメイクアップツールボタン３４８Ｌと、サーバに送信する画像の編集を行うときに操作されるケータイおまけボタン３４９Ｌが表示される。縦長長方形のケータイおまけボタン３４９Ｌには、「MOBILE  ケータイおまけ」の文字とスマートフォンの外観の画像が表示されるとともに、スマートフォンの外観の画像に重ねて「PUSH」の文字が表示される。
【０１３５】
修正ツール選択領域３４５Ｌの上には、編集処理を終了するときに操作される終了ボタン３５０Ｌが表示される。
【０１３６】
タブレット内蔵モニタ１３１に向かって右側にいる利用者が使う領域３３２Ｒには、以上のような領域３３２Ｌの構成と同じ構成が位置を対称にして配置される。図１４の例においては、サムネイル画像表示領域３４１Ｒからサムネイル画像Ｐ４を選択することによって、全身が写る４枚目の撮影画像が編集対象とされている。
【０１３７】
ステップＳ２の撮影処理によって得られた撮影画像に対しては、このような編集画面を用いて編集が施され、シール紙に印刷される。
【０１３８】
［撮影処理の例］
次に、図１５のフローチャートを参照して、図１３のステップＳ２において行われる撮影処理について説明する。
【０１３９】
ステップＳ２１において、撮影処理部３０１の表示制御部３１３は、コース選択画面をタッチパネルモニタ９２に表示させる。コース選択画面には、例えば、撮影コースとしてbeautyコースを選択する場合に操作されるボタンと、edgyコースを選択する場合に操作されるボタンが表示される。利用者は、タッチパネルモニタ９２の表面に指で触れるなどしていずれの撮影コースで撮影を行うのかを選択する。
【０１４０】
beautyコースを選択した場合の撮影とedgyコースを選択した場合の撮影とでは、クロマキーカーテンの有無、撮影モードの種類、撮影時に照射するフラッシュ光の強度、フラッシュ光の性質などが異なる。撮影モードには、通常撮影、斜め撮影、全身撮影がある。撮影モードに応じて、異なる範囲が撮影範囲として設定される。
【０１４１】
例えば、beautyコースにおいては、クロマキーカーテンをおろした状態で、１枚目と２枚目の撮影が通常撮影によって行われ、３枚目、４枚目、５枚目の撮影が斜め撮影によって行われる。クロマキーカーテンの色が利用者の背景色となることにより、beautyコースで撮影された撮影画像に対しては、クロマキー処理によって、利用者の写っている範囲の背景に他の色の画像を合成することが可能になる。
【０１４２】
一方、edgyコースにおいては、クロマキーカーテンのない状態で、１枚目の撮影が通常撮影によって行われ、２枚目、３枚目の撮影が斜め撮影によって行われる。また、４枚目、５枚目の撮影が全身撮影によって行われる。背景画像の合成が行われないから、edgyコースによって撮影された撮影画像のうち、利用者が写っている部分以外の部分には、背面パネル５１の内側（撮影空間Ａ１側）や、撮影空間Ａ１の床がそのまま写ることになる。
【０１４３】
図１６は、通常撮影の例を示す図である。
【０１４４】
図１６Ａに示す画像３６１はカメラ１０１により撮影された静止画である。縦長の画像である画像３６１には、２人の利用者の頭の上から腰付近までの範囲が写っている。画像３６１の内側に示す長方形の枠Ｆ１で囲む範囲が、通常撮影時にトリミング処理部３１２により切り出される範囲である。枠Ｆ１で示す切り出し範囲は、長手方向が画像３６１の長手方向と平行となり、短手方向が画像３６１の短手方向と平行になるように設定される。
【０１４５】
図１６Ｂに示す画像３６２は、トリミングによって画像３６１から切り出された画像である。このように、通常撮影においては、まっすぐ立っている利用者がそのまままっすぐ写る画像が撮影される。通常撮影によって得られる撮影画像は、利用者の顔がアップで写る画像であるアップ画像となる。
【０１４６】
図１７は、斜め撮影の例を示す図である。
【０１４７】
図１７Ａに示す画像３７１は、カメラ１０１により撮影された静止画を回転させたものである。画像３７１には、図１６Ａの画像３６１と同様に、２人の利用者の頭の上から腰付近までの範囲が写っている。画像３７１の内側に示す長方形の枠Ｆ１で囲む範囲が、斜め撮影時にトリミング処理部３１２により切り出される範囲である。図１７Ａに示すように、斜め撮影時の切り出しは、まっすぐな状態の画像３７１を、画像３７１の中心位置を中心として反時計周りの方向に所定の角度だけ傾け、枠Ｆ１で囲む範囲を切り出すようにして行われる。
【０１４８】
図１７Ｂに示す画像３７２は、トリミングによって画像３７１から切り出された画像である。このように、斜め撮影においては、まっすぐ立っている利用者が左に傾いて写る画像が撮影される。斜め撮影によって得られる撮影画像も、斜めに傾いてはいるが、利用者の顔がアップで写る画像であるアップ画像となる。
【０１４９】
図１８は、全身撮影の例を示す図である。
【０１５０】
図１８に示す画像３８１はカメラ１０１により撮影された静止画である。縦長の画像である画像３８１には、２人の利用者の頭の上から足元付近までの範囲が写っている。画像３８１には、撮影空間Ａ１の床面や、背面パネル５１も利用者の背景として写っている。全身撮影時、カメラ１０１を若干斜め下に向けて撮影が行われる。
【０１５１】
このように、全身撮影においては、まっすぐ立っている利用者の全身が写る画像である全身画像が撮影される。利用者の背景に撮影空間Ａ１の床面などがそのまま写ることから、edgyコースにおいては、背景画像を合成するbeautyコースの場合と較べて合成感がなく、自然な仕上がりの画像を撮影することが可能になる。
【０１５２】
なお、ライブビューに用いられる動画像を構成する各フレームに対してもトリミングが適宜施される。例えば、通常撮影時、図１６を参照して説明したトリミングと同じトリミングが施される。また、斜め撮影時、図１７を参照して説明したトリミングと同じトリミングが動画像を構成する各フレームに対して施され、利用者が斜めに傾いて写る動画がライブビューの表示に用いられる。
【０１５３】
図１５の説明に戻り、撮影コースが選択された場合、ステップＳ２２において、表示制御部３１３は、撮影制御部３１１により撮影された動画に基づいて、利用者の上半身が写るライブビューの表示を開始する。
【０１５４】
すなわち、撮影制御部３１１により動画の撮影が開始され、動画を構成する各フレームに対して、図１６を参照して説明したようにして、トリミング処理部３１２によりトリミングが施される。トリミングにより切り出された画像からなる動画は表示制御部３１３に供給され、タッチパネルモニタ９２のライブビューの表示に用いられる。
【０１５５】
図１９は、ライブビューの表示例を示す図である。
【０１５６】
タッチパネルモニタ９２の中央上方に「撮影するよ」のメッセージが表示され、その下に、ライブビュー表示領域４０１が形成される。ライブビュー表示領域４０１には、通常撮影時には、利用者の上半身がまっすぐアップで写る動画が表示され、斜め撮影時には、利用者の上半身が斜めにアップで写る動画が表示される。全身撮影時、ライブビュー表示領域４０１には、利用者の全身が写る動画が表示される。図１９の例においては、利用者の上半身がまっすぐアップで写る動画が表示されている。
【０１５７】
このようなライブビューを見て、利用者は、自分達の写りを確認することになる。なお、撮影コースとしてbeautyコースが選択された場合、背景制御部２２２によりクロマキーカーテンが下ろされる。
【０１５８】
beautyコースが選択され、図１９に示すようなライブビューの表示が開始されてから所定の時間が経過した場合、ステップＳ２３において、撮影制御部３１１は１枚目の静止画の撮影を通常撮影によって行う。
【０１５９】
すなわち、撮影制御部３１１により撮影された静止画を対象として、図１６を参照して説明したようにしてトリミング処理部３１２によりトリミングが行われ、利用者の上半身がまっすぐ写っている静止画が得られる。トリミングにより切り出された静止画は調整部３１４に供給される。２枚目以降の静止画についても同様に、撮影が行われる毎に調整部３１４に供給される。
【０１６０】
なお、撮影制御部３１１による各撮影の前には、タッチパネルモニタ９２の画面表示やスピーカ２２４からの音声によって、「３、２、１」などのカウントダウンが行われる。
【０１６１】
ステップＳ２４において、撮影制御部３１１は、１枚目の撮影から所定の時間が経過したとき、２枚目の静止画の撮影を通常撮影によって行う。
【０１６２】
ステップＳ２５において、表示制御部３１３は、斜め撮影の機能を説明する画面をタッチパネルモニタ９２に表示するなどして、斜め撮影の紹介を行う。上述したように、beautyコースにおいては、３枚目、４枚目、５枚目の撮影が斜め撮影によって行われる。
【０１６３】
ステップＳ２６において、表示制御部３１３は、撮影制御部３１１により撮影された動画に基づいて、利用者の上半身が斜めに写るライブビューの表示を開始する。
【０１６４】
すなわち、撮影制御部３１１により撮影された動画を構成する各フレームに対して、図１７を参照して説明したようにして、トリミング処理部３１２によりトリミングが施される。トリミングにより切り出された画像からなる動画は表示制御部３１３に供給され、タッチパネルモニタ９２のライブビュー表示領域４０１に表示される。
【０１６５】
ステップＳ２７において、撮影制御部３１１は３枚目の静止画の撮影を斜め撮影によって行う。撮影制御部３１１により撮影された静止画を対象として、図１７を参照して説明したようにしてトリミング処理部３１２によりトリミングが行われ、利用者の上半身が斜めに傾いて写る静止画が得られる。
【０１６６】
ステップＳ２８において、撮影制御部３１１は、３枚目の撮影から所定の時間が経過したとき、４枚目の静止画の撮影を斜め撮影によって行う。
【０１６７】
ステップＳ２９において、撮影制御部３１１は、４枚目の撮影から所定の時間が経過したとき、５枚目の静止画の撮影を斜め撮影によって行う。
【０１６８】
このように、beautyコースにおいては、通常撮影によって撮影された２枚の静止画と、斜め撮影によって撮影された３枚の静止画の５枚の静止画が調整部３１４に供給される。５枚の静止画ともアップ画像である。
【０１６９】
一方、edgyコースが選択され、ライブビューの表示が開始されてから所定の時間が経過した場合、ステップＳ３０において、撮影制御部３１１は１枚目の静止画の撮影を通常撮影によって行う。
【０１７０】
ステップＳ３１において、表示制御部３１３は、斜め撮影の機能を説明する画面をタッチパネルモニタ９２に表示するなどして、斜め撮影の紹介を行う。edgyコースにおいては、２枚目、３枚目の撮影が斜め撮影によって行われる。
【０１７１】
ステップＳ３２において、表示制御部３１３は、撮影制御部３１１により撮影された動画に基づいて、利用者の上半身が斜めに写るライブビューの表示を開始する。
【０１７２】
ステップＳ３３において、撮影制御部３１１は、２枚目の静止画の撮影を斜め撮影によって行う。
【０１７３】
ステップＳ３４において、撮影制御部３１１は、２枚目の撮影から所定の時間が経過したとき、３枚目の静止画の撮影を斜め撮影によって行う。
【０１７４】
ステップＳ３５において、表示制御部３１３は動画ガイダンス処理を行う。動画ガイダンス処理においては、全身撮影の紹介が行われるとともに、撮影時の立ち位置の誘導が動画を用いて行われる。edgyコースにおいては、４枚目、５枚目の撮影が全身撮影によって行われる。動画ガイダンス処理の詳細については図２０のフローチャートを参照して後述する。
【０１７５】
ステップＳ３６において、表示制御部３１３は、撮影制御部３１１により撮影された動画に基づいて、利用者の全身が写るライブビューの表示を開始する。タッチパネルモニタ９２のライブビュー表示領域４０１には利用者の全身が写る動画が表示される。
【０１７６】
ステップＳ３７において、撮影制御部３１１は４枚目の静止画の撮影を全身撮影によって行う。すなわち、図１８を参照して説明したような利用者の全身が写る静止画が得られる。
【０１７７】
ステップＳ３８において、撮影制御部３１１は、４枚目の撮影から所定の時間が経過したとき、５枚目の静止画の撮影を全身撮影によって行う。
【０１７８】
このように、edgyコースにおいては、通常撮影によって撮影された１枚の静止画、斜め撮影によって撮影された２枚の静止画、および全身撮影によって撮影された２枚の静止画の５枚の静止画が調整部３１４に供給される。
【０１７９】
ステップＳ３９において、表示制御部３１３は、写り調整画面をタッチパネルモニタ９２に表示させる。写り調整画面は、静止画に写る利用者の目の大きさの調整と、静止画の明るさの調整に用いられる画面である。写り調整画面には、例えば複数の大きさの目を表す画像や、明るさの調整に用いられるボタンが表示される。利用者は、目を表す画像にタッチすることによって画像に写る自身の目の大きさを選択したり、ボタンを操作することによって画像の明るさを選択したりすることができる。静止画の色や利用者の顔の大きさなどの他の写りの調整を写り調整画面において行うことができるようにしてもよい。
【０１８０】
ステップＳ４０において、調整部３１４は、利用者による操作に応じて静止画の画像処理を行い、利用者の目の大きさと静止画の明るさを調整する。すなわち、調整部３１４は、それぞれの静止画から利用者の目を検出し、検出した目の大きさを、利用者によって選択された大きさになるように調整する。また、調整部３１４は、それぞれの静止画の明るさを、利用者によって選択された明るさになるように調整する。調整部３１４は、写りの調整後の静止画を撮影画像として撮影画像記憶部３１５に出力する。
【０１８１】
ステップＳ４１において、撮影画像記憶部３１５は、調整部３１４から供給された５枚の撮影画像を記憶する。その後、図１３のステップＳ２に戻り、それ以降の処理が行われる。
【０１８２】
次に、図２０のフローチャートを参照して、図１５のステップＳ３５において行われる動画ガイダンス処理について説明する。
【０１８３】
ステップＳ５１において、表示制御部３１３は、全身撮影の機能を説明する画面をタッチパネルモニタ９２に表示するなどして、全身撮影の紹介を行う。
【０１８４】
ステップＳ５２において、誘導部３１３Ａは、誘導画像記憶部３１６から読み出したデータに基づいて、タッチパネルモニタ９２に誘導画像を表示させる。誘導画像が表示された後、図１５のステップＳ３５に戻り、利用者の全身が写るライブビューが表示された後、全身撮影が行われる。
【０１８５】
図２１は、誘導画像の表示例を示す図である。
【０１８６】
タッチパネルモニタ９２の中央上方に「前に立ってね」のメッセージが表示され、その下に、誘導画像表示領域４１１が形成される。誘導画像表示領域４１１には誘導画像が表示される。
【０１８７】
このように、動画ガイダンス処理時、タッチパネルモニタ９２にはライブビューは表示されず、誘導画像が大きく表示される。誘導画像の表示サイズは、全身撮影時のライブビュー（図１５のステップＳ３６）の表示サイズと同じサイズである。つまり、同じサイズとは、全身撮影時のライブビュー撮影の状態と同一撮影倍率（カメラレンズなどのズーム値）、同一撮影画角（カメラの撮影向き）で撮影した画像であり、利用者と同じ背の高さ、同じ顔の大きさのモデルが撮影されていた場合に、利用者が、誘導画像と同じ位置に立って同じポーズをとった場合に、ライブビューで表示されているのと、同じ顔の大きさ、同じポーズに表示されることを意味する。これにより、タッチパネルモニタ９２の表示内容が切り替わっても違和感なく利用者は撮影を進めることができる。
【０１８８】
全身撮影時のライブビューの表示サイズより大きいサイズで誘導画像が表示されるようにすることも可能である。表示サイズとは、誘導画像における撮影時の倍率である。誘導画像を大きく表示させることにより、誘導画像により注目させることが可能になる。
【０１８９】
図２２乃至図２６は、誘導画像を構成する静止画の例を示す図である。
【０１９０】
誘導画像の表示は、例えば５枚の静止画を連続して誘導画像表示領域４１１に表示させることによって行われる。６フレーム以上の静止画によって誘導画像が構成されるようにしてもよい。誘導画像を構成する各静止画の縦横比は、全身撮影によって撮影される静止画の縦横比と同じである。
【０１９１】
図２２の静止画には、垂直面である壁面４２１を背にして、両方のつま先をそろえて直立している２人のモデルの全身が写っている。２人のモデルの立ち位置は壁面４２１に近い位置である。静止画の長手方向に対して下から略１／３の位置に写っている水平線４２２は、壁面４２１と床４２３の境界である。壁面４２１と床４２３の色は、例えば背面パネル５１の内側と撮影空間Ａ１の床の色と同じ色である。
【０１９２】
下方の略１／３の範囲に床４２３が写っている図２２乃至図２６の静止画は、いずれも、２人のモデルを、モデルの目の高さより高い位置から若干見下ろすように撮影した画像である。２人のモデルの視線は若干見上げる形になる。
【０１９３】
静止画の下縁に近い位置には、短手方向と平行な太い線の画像であるガイド画像４２４が、モデルを撮影して得られた静止画に合成して表示される。ガイド画像４２４は、立ち位置の移動先を示す情報であり、赤色などの目立つ色で表示される。図２２に示す静止画が表示された後、誘導画像表示領域４１１の表示は図２３の静止画に切り替わる。
【０１９４】
図２３の静止画には、図２２の状態から左足を一歩踏み出した状態の２人のモデルが写っている。２人のモデルの視線は、２人を撮影しているカメラ４３１（図２７）に向けたままである。図２３に示す静止画が表示された後、誘導画像表示領域４１１の表示は図２４の静止画に切り替わる。
【０１９５】
図２４の静止画には、図２３の状態から、右足を左足より前の位置に踏み出した状態の２人のモデルが写っている。踏み出した右足のつま先の位置はガイド画像４２４の位置である。２人のモデルの視線は、２人を撮影しているカメラ４３１に向けたままである。図２４に示す静止画が表示された後、誘導画像表示領域４１１の表示は図２５の静止画に切り替わる。
【０１９６】
図２５の静止画には、図２４の状態から左足を一歩踏み出し、両方のつま先をそろえて直立している状態の２人のモデルが写っている。両方のつま先の位置はガイド画像４２４の位置である。２人のモデルの視線は、２人を撮影しているカメラ４３１に向けたままである。図２５に示す静止画が表示された後、誘導画像表示領域４１１の表示は図２６の静止画に切り替わる。
【０１９７】
図２６の静止画には、図２５の位置と立ち位置を変えずに、ポーズをとった状態の２人のモデルが写っている。２人のモデルの視線は、２人を撮影しているカメラ４３１に向けたままである。
【０１９８】
このように、全身撮影の前、モデルが立ち位置を変えてカメラ４３１に近づく様子を撮影した画像が誘導画像として表示される。立ち位置を変える前の図２２の静止画においてはモデルが小さく写っているが、立ち位置を変えた後の図２５、図２６の静止画においてはモデルが大きく写っており、全体の構図がよい。
【０１９９】
誘導画像の後にタッチパネルモニタ９２に表示されるライブビュー（図１５のステップＳ３６において表示される全身が写るライブビュー）を見ながらモデルのまねをして立ち位置を変えてカメラ１０１に近づくことにより、利用者は、全身画像において、よい構図で撮影可能な位置に立つことができる。
【０２００】
図２７および図２８は、誘導画像の撮影の様子を横から示す図である。モデルを１人しか示していないが、実際には２人のモデルの撮影が行われる。
【０２０１】
図２７は、立ち位置を変える前の撮影の様子を示す。床４２３の上には壁面４２１が設けられ、壁面４２１を背にして、壁面４２１に近い位置である位置Ｐ１にモデルが立っている。
【０２０２】
図２７に示す状態をカメラ４３１で撮影した静止画が図２２の静止画となる。破線Ｌ１は撮影範囲の上限を示し、破線Ｌ２は撮影範囲の下限を示す。カメラ４３１による撮影は、モデルの目の高さより若干高い位置から行われる。モデルの視線は、一点鎖線の矢印で示すように若干見上げる形になる。
【０２０３】
図２８は、立ち位置を変えた後の撮影の様子を示す。位置Ｐ１よりカメラ４３１に近い位置である位置Ｐ２にモデルが立っている。図２８に示す状態をカメラ４３１で撮影した静止画が図２５の静止画となる。
【０２０４】
図２９および図３０は、利用者における全身撮影の様子を横から簡略化して示す図である。
【０２０５】
図２９は、立ち位置を変える前の撮影の様子を示す。床４４１は撮影空間Ａ１の床であり、床４４１の上には、利用者の前方に撮影部２１が設けられ、後方に背景部２２の背面パネル５１が設けられる。背面パネル５１を背にして、背面パネル５１に近い位置である位置Ｐ１１にモデルが立っている。
【０２０６】
破線Ｌ１１はカメラ１０１の撮影範囲の上限を示し、破線Ｌ１２は撮影範囲の下限を示す。図２９に示すような様子を撮影した動画が、全身撮影前のライブビューに表示される。
【０２０７】
図３０は、立ち位置を変えた後の撮影の様子を示す。位置Ｐ１１よりカメラ１０１に近い位置である位置Ｐ１２に利用者が立っている。図３０に示す状態をカメラ１０１で撮影した静止画が全身画像として取得される。
【０２０８】
誘導画像の撮影に用いられるカメラ４３１の床４２３からの高さは、カメラ１０１の撮影空間Ａ１の床４４１からの高さとほぼ同じ高さである。また、カメラ４３１から壁面４２１までの距離は、カメラ１０１から背面パネル５１までの距離とほぼ同じ距離である。カメラ４３１の光軸は、全身撮影時のカメラ１０１の光軸とほぼ同じとされ、破線Ｌ１と破線Ｌ２で囲んで示すカメラ４３１の画角は、全身撮影時のカメラ１０１の画角とほぼ同じ画角とされる。
【０２０９】
すなわち、誘導画像の撮影環境は、撮影空間Ａ１における全身撮影時の撮影環境とほぼ同じ環境となる。モデルとカメラ４３１の位置関係は、利用者とカメラ１０１の位置関係とほぼ同じ関係になる。カメラまでの距離が同一であるとすると、図２７、図２８において一点鎖線で示すモデルの視線は、図２９、図３０に一点鎖線で示す、撮影空間Ａ１にいてカメラ１０１に視線を向ける利用者の視線とほぼ同一になる。
【０２１０】
上述したように、誘導画像に写る壁面４２１と床４２３の色は背面パネル５１の内側と撮影空間Ａ１の床４４１の色と同じ色であるから、あたかも撮影空間Ａ１にモデルがいて、カメラ１０１によって撮影したイメージのモデルの動画が誘導画像として表示されることになる。
【０２１１】
このように、撮影空間Ａ１にいるモデルを撮影しているイメージの動画が誘導画像として表示されることから、立ち位置を変えることの必要性をより利用者に実感させることが可能になる。利用者は、タッチパネルモニタ９２の表示が誘導画像から自身の全身が写るライブビューに切り替わったとしても違和感なく立ち位置を変えてカメラ１０１に近づくことができる。なお、上述の例では、視線より少し上にカメラ４３１を設置しているが、視線と同じ位置でも、視線より少し下の位置でもよい。
【０２１２】
［変形例］
（１）誘導画像の他の例
・例１
モデルを撮影した５フレームの静止画から誘導画像が構成されるものとしたが、フレーム数の多い動画によって誘導画像が構成されるようにしてもよいし、立ち位置を変える様子を表すアニメーションによって誘導画像が構成されるようにしてもよい。利用者の身長を見て、ガイド画像４２４の高さ方向を変更してもよい。
【０２１３】
・例２
モデルを撮影した画像を誘導画像として用いるのではなく、立ち位置を変える利用者自身の様子を撮影した画像を誘導画像として用いるようにしてもよい。この場合、例えば、撮影処理が開始された後の所定のタイミングで立ち位置を変えることが利用者に対して案内され、図２９の位置Ｐ１１から位置Ｐ１２に立ち位置を変える利用者の様子を撮影して得られた画像が誘導画像として用いられる。この場合、誘導画像の撮影に用いられるカメラは、全身撮影に用いられるカメラと同じカメラ１０１となる。
【０２１４】
なお、この例は、誘導画像を複数回表示する際、有益である。１回目で撮影し、２回目から利用者が撮影された誘導画像を表示する。このようにすることで、利用者は違和感がなく、タッチパネルモニタ９２をみることができる。
【０２１５】
自分が立ち位置を変えている様子がライブビューに代えて表示されることにより、利用者は、立ち位置を変える必要があることをより容易に認識することができる。
【０２１６】
・例３
誘導画像に写るモデルの人数が利用者の人数に応じて切り替わるようにしてもよい。この場合、誘導画像記憶部３１６には、１人のモデルが写る誘導画像、２人のモデルが写る誘導画像、３人のモデルが写る誘導画像、・・・といったように、複数の誘導画像のデータが予め記憶される。
【０２１７】
図３１に示す誘導部３１３Ａの人数検出部４５１は、例えば所定の選択画面に対する利用者の入力に基づいて、または、撮影制御部３１１により撮影された画像を解析することによって、利用者の人数を検出する。誘導部３１３Ａは、利用者の人数と同じ数のモデルが写る誘導画像のデータを誘導画像記憶部３１６から読み出し、タッチパネルモニタ９２に誘導画像を表示させる。
【０２１８】
誘導画像に写るモデルの数をライブビューに表示される利用者の人数と揃えることにより、より違和感なく、利用者に立ち位置を変えさせることが可能になる。
【０２１９】
利用者の人数に応じて、前後方向に立ち位置を変えさせるだけでなく、横方向にも立ち位置を変えさせる誘導画像が用いられるようにしてもよい。例えば利用者の人数が多い場合、全員を撮影範囲に収めるためには、全員を中央に寄せるなどの、横方向に立ち位置を変えさせる必要があることがある。このように、立ち位置の移動先は、適宜、利用者の人数毎、すなわち誘導画像毎に異なる位置とされる。
【０２２０】
利用者の人数に応じて、適宜、横方向に立ち位置を変えさせるための誘導画像をタッチパネルモニタ９２に表示させることにより、より適切な構図の全身画像を撮影することが可能になる。
【０２２１】
・例４
人数だけなく、誘導部３１３Ａが認識した利用者のポジション、性別構成などに応じた誘導画像を選択し、表示させるようにしてもよい。
【０２２２】
例えば、利用者のポジションに応じて誘導画像を変える場合、誘導部３１３Ａは、ライブビューの画像内で利用者が左寄りに写っているときには、画像内で右前方に立ち位置を変えるモデルが写っている誘導画像を選択し、表示させる。また、誘導部３１３Ａは、ライブビューの画像内で利用者が右寄りに立っているときには、画像内で左前方に立ち位置を変えるモデルが写っている誘導画像を選択し、表示させる。
【０２２３】
利用者の性別に応じて誘導画像を変える場合、誘導部３１３Ａは、２人の利用者が女性同士であったり男女（カップル）であったりするときには、２人が近づくように立ち位置を変えるモデルが写っている誘導画像を選択し、表示させる。
【０２２４】
・例５
全身撮影の立ち位置を誘導するための誘導画像を表示するものとしたが、他の撮影モードでの撮影に適した立ち位置に誘導するための誘導画像を表示するようにしてもよい。
【０２２５】
例えば、誘導部３１３Ａは、全身撮影が終了し、アップ画像の撮影（通常撮影、斜め撮影）を次に行う場合、通常撮影に適した立ち位置に誘導するための誘導画像を選択して表示させたり、斜め撮影に適した立ち位置に誘導するための誘導画像を選択して表示させたりする。
【０２２６】
通常撮影、斜め撮影、および全身撮影の中から利用者が撮影の順番を決めるようになされている場合、誘導部３１３Ａは、利用者により選択された次の撮影モードを検出し、次の撮影モードに適した立ち位置に誘導するための誘導画像を選択して表示させる。
【０２２７】
年齢層が高い利用者は写真シール作成装置１を使った撮影に慣れていないことが多いことから、利用者の年齢層が高い場合、立ち位置を頻繁に変えるような撮影を減らすようにしてもよい。利用者の年齢は、例えば、所定の選択画面に対する利用者の入力に従って、または、撮影制御部３１１により撮影された画像を解析することによって検出される。
【０２２８】
（２）誘導画像の表示タイミングの例
・例１
全身撮影を行う直前（全身撮影のカウントダウンの直前）に誘導画像を再度表示し、立ち位置を再度確認させるようにしてもよい。このように、同じ誘導画像を複数回表示させることも可能である。
【０２２９】
・例２
利用者がタッチパネルモニタ９２を見ているタイミングで誘導画像を表示させるようにしてもよい。この場合、図３１に示す誘導部３１３Ａの視線検出部４５２は、撮影制御部３１１により撮影された画像を解析することによって利用者の視線を特定し、特定した視線が、予め設定された、タッチパネルモニタ９２に向ける視線と一致することを検出した場合、誘導画像をタッチパネルモニタ９２に表示させる。
【０２３０】
これにより、より確実に誘導画像を利用者に見せることが可能になる。
【０２３１】
（３）誘導画像の表示形式の例
以上においては、ライブビューと誘導画像のいずれかがタッチパネルモニタ９２に表示されるものとしたが、ライブビューに重ねて誘導画像を表示するようにしてもよい。所定の透過度を設定した誘導画像をライブビューに重ねて表示することにより、利用者は、どこに自分が立てばよいのかを正確に確認することができる。
【０２３２】
（４）適用例
・例１
利用者毎に顔の大きさが異なるため、顔の大きさが揃う位置に立ち位置を変えるような誘導が行われるようにしてもよい。
【０２３３】
この場合、誘導部３１３Ａは、全身撮影の前に顔認識を行い、利用者毎の顔の大きさを特定して登録する。誘導部３１３Ａは、この登録結果と、カメラ１０１により撮影された画像に写る利用者の顔の大きさとに基づいて、カメラ１０１から利用者の立ち位置までの距離を推測し、誘導画像を表示させることによって、それぞれの利用者の立ち位置を、それぞれの利用者の顔の大きさが揃う位置に誘導する。カメラ１０１から利用者の立ち位置までの距離が、カメラ１０１の近傍に設けられた測距センサーにより計測されるようにしてもよい。
【０２３４】
撮影画像に写る顔の大きさが不均一であると人物と背景のバランスが悪くなることから、このように顔の大きさを基準にして立ち位置を誘導することにより、よい構図の撮影画像を得ることが可能になる。音声によるアナウンスをも用いて立ち位置の誘導が行われるようにしてもよい。音声によるアナウンスを含めて誘導を行うことで、利用者にとってよりわかりやすい誘導手段を提供することができる。
【０２３５】
・例２
１枚目の撮影結果に応じて、誘導内容を変更することも可能である。この場合、モデル画像によるポーズの案内や矢印による誘導などの既存の誘導をタッチパネルモニタ９２の画面表示を用いて利用者に対して誘導部３１３Ａが行った後、１枚目の撮影が行われる。１枚目の撮影は、通常撮影としてもよいし、コース選択を行わせるための試し撮り撮影であってもよい。
【０２３６】
誘導部３１３Ａは１枚目の撮影結果に写る利用者の構図と、予め記憶しておいた最適な人物の構図を比較し、立ち位置等の人物の構図が好ましくない場合、２枚目以降の撮影前に、最適な立ち位置へ誘導するための誘導画像を表示させる。これにより、最適な構図で利用者が写る撮影画像を得ることが可能となる。
【０２３７】
・例３
編集時に、編集の見本となる動画を再生するようにしてもよい。例えば、デザイナーの人や写真シール作成装置１をよく使う利用者等が編集を行っている様子を撮影した動画がタブレット内蔵モニタ１３１の編集画面に表示される。
【０２３８】
編集を行っている利用者は、動画を編集画面上で閲覧し、編集のやり方をまねることにより、完成度の高い編集画像を生成することができる。なお、この動画は、時間短縮を考慮して、再生以外にも、巻き戻し、早送り、倍速等の操作を行うことができるようにしてもよい。また、チャプターを設定しておくことも可能である。
【０２３９】
本発明の実施の形態は、上述した実施の形態に限定されるものではなく、本発明の要旨を逸脱しない範囲において種々の変更が可能である。
【符号の説明】
【０２４０】
１  写真シール作成装置，  １１  撮影ユニット，  １２  編集ユニット，  ２０１  制御部，  ３０１  撮影処理部，  ３０２  編集処理部，  ３０３  印刷処理部，  ３１１  撮影制御部，  ３１２  トリミング処理部，  ３１３  表示制御部，  ３１４  調整部，  ３１５  撮影画像記憶部，  ３１６  誘導画像記憶部
【図１】
2015035765.tif 000003
【図２】
2015035765.tif 000004
【図３】
2015035765.tif 000005
【図４】
2015035765.tif 000006
【図５】
2015035765.tif 000007
【図６】
2015035765.tif 000008
【図７】
2015035765.tif 000009
【図８】
2015035765.tif 000010
【図９】
2015035765.tif 000011
【図１０】
2015035765.tif 000012
【図１１】
2015035765.tif 000013
【図１２】
2015035765.tif 000014
【図１３】
2015035765.tif 000015
【図１４】
2015035765.tif 000016
【図１５】
2015035765.tif 000017
【図１６】
2015035765.tif 000018
【図１７】
2015035765.tif 000019
【図１８】
2015035765.tif 000020
【図１９】
2015035765.tif 000021
【図２０】
2015035765.tif 000022
【図２１】
2015035765.tif 000023
【図２２】
2015035765.tif 000024
【図２３】
2015035765.tif 000025
【図２４】
2015035765.tif 000026
【図２５】
2015035765.tif 000027
【図２６】
2015035765.tif 000028
【図２７】
2015035765.tif 000029
【図２８】
2015035765.tif 000030
【図２９】
2015035765.tif 000031
【図３０】
2015035765.tif 000032
【図３１】
2015035765.tif 000033